(57)【要約】【課題】  読み取り精度を向上させて容易にRFIDタグの所有者を認識するとともに、認証やセキュリティ解除の鍵となるRFIDタグの紛失や盗難に遭った場合の対応を可能にした認証装置、セキュリティ装置およびセキュリティ装置の認証方法を提供することを目的とする。【解決手段】  認証装置は、複数のRFIDタグに格納されている識別情報の組み合わせに基づく１または複数の認証条件の登録を受け付ける認証条件設定部と、認証条件設定部により登録を受け付けた複数の認証条件を格納する認証条件格納部と、RFIDタグに格納されている識別情報を読み取る識別情報読取部と、識別情報読取部により読み取った識別情報と、認証条件格納部に格納されている認証条件とを比較して認証動作を行う認証部とを備える。【選択図】      図１
2006178591.tif 000002
【特許請求の範囲】
【請求項１】
複数のRFIDタグに格納されている識別情報の組み合わせに基づく１または複数の認証条件の登録を受け付ける認証条件設定部と、
前記認証条件設定部により登録を受け付けた複数の認証条件を格納する認証条件格納部と、
RFIDタグに格納されている識別情報を読み取る識別情報読取部と、
前記識別情報読取部により読み取った識別情報と、前記認証条件格納部に格納されている認証条件とを比較して認証動作を行う認証部と、
を備える認証装置。
【請求項２】
複数のRFIDタグに格納されている識別情報の組み合わせに基づく１または複数の認証条件の登録を受け付ける認証条件設定部と、
前記認証条件設定部により登録を受け付けた複数の認証条件を格納する認証条件格納部と、
RFIDタグに格納されている識別情報を読み取る識別情報読取部と、
前記識別情報読取部により読み取った識別情報と、前記認証条件格納部に格納されている認証条件とを比較して認証動作を行う認証部と、
前記認証部において認証が成功した場合にセキュリティ解除動作を行うセキュリティ解除部と、
を備えるセキュリティ装置。
【請求項３】
前記認証条件は、前記複数の識別情報のうち所定数以上の識別情報を認識した場合に認証が成功したとみなすことを特徴とする、請求項２に記載のセキュリティ装置。
【請求項４】
前記複数のRFIDに格納されている識別情報はそれぞれ複数のグループに関連付けた属性を有し、前記認証条件設定部は各識別情報とその属性に基づく認証条件の登録を受け付けて前記認証条件格納部に格納することを特徴とする、請求項２に記載のセキュリティ装置。
【請求項５】
前記認証条件は、複数の識別情報が読み取られた時間的な関係と各識別情報の属性とが所定条件である場合に認証が成功したとみなす、請求項４に記載のセキュリティ装置。
【請求項６】
複数のRFIDに格納されている識別情報の組み合わせに基づく１または複数の認証条件の登録を受け付ける段階と、
受け付けた認証条件を格納する段階と、
近接してくるRFIDタグに格納された識別情報を読み取る段階と、
読み取った識別情報を格納されている認証条件と比較して認証動作を行う段階と、
認証動作を行った結果認証に成功した場合にセキュリティ解除動作を実行する段階と、
を含むセキュリティ装置における認証方法。
【発明の詳細な説明】
【技術分野】
【０００１】
本発明は、RFIDタグを用いた認証装置、セキュリティ装置に関するものであり、特に複数のRFIDタグを用いて認証を行う認証装置、セキュリティ装置およびセキュリティ装置における認証方法に関する。
【背景技術】
【０００２】
近年、新たな技術としいてRFID（Radio  Frequency  Identification）タグが注目されており、それを用いたアプリケーションが多く提案されている。
【０００３】
RFIDタグは、内部に識別情報が書き込まれたICチップと、読取装置との間で無線通信を行うためのアンテナを備えている。読取装置から無線で電力供給を行うと、この電力はアンテナを介してICチップに供給され、ICチップに書き込まれている識別情報を無線で読み取ることができる。
【０００４】
このようなRFIDタグを用いた認証やセキュリティに関連したアプリケーションがいくつか提案されており、たとえば、RFIDタグに書き込まれた識別情報によってブザーなどの警報装置の動作を停止させるものがある（たとえば、特許文献１）。
【０００５】
特許文献１に記載されている警備システムでは、住人などの立ち入りが許可された者が所定の識別情報が格納されたRFIDタグを所持し、このようなRFIDタグを所持する者が住宅などの警備区域に立ち入る際に、RFIDタグから所定の識別情報を読み取ることができた場合には、ブザーなどの警報手段の動作を停止するようにしている。不審者が警備区域に立ち入ろうとした場合には、所定の識別情報を検知することができずに警報装置が作動し、ブザーを鳴らしたり、ビデオにより不審者の画像を撮影したり、電話やインターネットを介して通報するなどの警報動作を行うようにしている。
【特許文献１】特開2003-303379号公報（第３−４頁、図１、図４）
【発明の開示】
【発明が解決しようとする課題】
【０００６】
しかしながら、前述したような従来の構成では、所定の識別情報が格納されたRFIDタグを紛失したような場合に、立ち入りを許可された者であるにも関わらず、警報装置を解除することができないという問題がある。また、RFIDタグが盗難に遭った場合には、このRFIDタグを使用して不審者が住人になりすまして容易にセキュリティを解除することができるという問題がある。
【０００７】
読取装置は、無線通信によりRFIDタグに格納された識別情報を読み取ることから、RFIDタグと読取装置との位置関係や所持者がどのような状態で持っているか、その他アンテナ環境によって、RFIDタグを認識できない場合がある。このような場合、読取装置の付近にRFIDタグをかざすなどして識別情報を読み込ませるなどの動作が必要となる場合がある。この場合、指紋、掌紋、虹彩、網膜、その他のバイオメトリクス認証を行う場合と同様に、RFIDタグに格納された識別情報の読取動作を意識する必要が出てくるため、このような動作を意識することなくリモート認証を可能にするRFIDタグの利点を十分に活かすことができないという問題がある。
【０００８】
本発明では、上述したような問題点を解決するためのものであって、読み取り精度を向上させて容易にRFIDタグの所有者を認識するとともに、認証やセキュリティ解除の鍵となるRFIDタグの紛失や盗難に遭った場合の対応を可能にした認証装置、セキュリティ装置およびセキュリティ装置の認証方法を提供することを目的とする。
【課題を解決するための手段】
【０００９】
本発明の請求項１に係る認証装置は、複数のRFIDタグに格納されている識別情報の組み合わせに基づく１または複数の認証条件の登録を受け付ける認証条件設定部と、認証条件設定部により登録を受け付けた複数の認証条件を格納する認証条件格納部と、RFIDタグに格納されている識別情報を読み取る識別情報読取部と、識別情報読取部により読み取った識別情報と、認証条件格納部に格納されている認証条件とを比較して認証動作を行う認証部とを備える。
【００１０】
この場合、複数のRFIDタグのうち一部を盗んでも、これを用いて認証に成功することが困難となり、セキュリティを高めることができ、また、RFIDタグの一部を紛失した場合や盗難に遭った場合にも、正当なユーザが他のRFIDタグを用いて認証条件を満たすことで、認証に成功することが可能となる。
【００１１】
本発明の請求項２に係るセキュリティ装置は、複数のRFIDタグに格納されている識別情報の組み合わせに基づく１または複数の認証条件の登録を受け付ける認証条件設定部と、認証条件設定部により登録を受け付けた複数の認証条件を格納する認証条件格納部と、RFIDタグに格納されている識別情報を読み取る識別情報読取部と、識別情報読取部により読み取った識別情報と、認証条件格納部に格納されている認証条件とを比較して認証動作を行う認証部と、認証部において認証に成功した場合にセキュリティ解除動作を行うセキュリティ解除部とを備える。
【００１２】
この場合、セキュリティの鍵となるRFIDタグの一部が紛失した場合や盗難に遭った場合であっても、RFIDタグの不正使用によるセキュリティ解除を防止することができる。また、複数のRFIDタグを用いることにより、全てのRFIDタグが同時に盗難に遭ったり、セキュリティ解除に必要なRFIDタグが紛失したり盗難に遭う確率を低くして、セキュリティを高めることができる。
【００１３】
本発明の請求項３に係るセキュリティ装置は、請求項２に記載のセキュリティ装置であって、認証条件は、前記複数の識別情報のうち所定数以上の識別情報を認識した場合に認証に成功したとみなすことを特徴とする。
【００１４】
この場合、RFIDタグの一部が紛失したり盗難に遭った場合であっても、セキュリティ解除に必要な所定数以上のRFIDタグが残っていれば、これらを用いて所有者を認識してセキュリティ解除を行うことが可能となる。
【００１５】
本発明の請求項４に係るセキュリティ装置は請求項２に記載のセキュリティ装置であって、複数のRFIDに格納されている識別情報はそれぞれ複数のグループに関連付けた属性を有し、認証条件設定部は各識別情報とその属性に基づく認証条件の登録を受け付けて認証条件格納部に格納することを特徴とする。
【００１６】
たとえば、正当なユーザが複数存在するような場合に、複数のRFIDタグにユーザ毎の属性を設定しておき、各RFIDタグに格納された識別情報とその属性の組み合わせにより認証条件を設定することで、各ユーザがそれぞれセキュリティ解除できるように構成できる。
【００１７】
本発明の請求項５に係るセキュリティ装置は請求項４に記載のセキュリティ装置であって、認証条件は、複数の識別情報が読み取られた時間的な関係と各識別情報の属性とが所定条件である場合に認証に成功したとみなすことを特徴とする。
【００１８】
この場合、たとえば、複数のユーザが所有するRFIDタグがどのような順で認識されたかにより、正当な使用がなされているか否かを判断することができる。
【００１９】
本発明の請求項６に係るセキュリティ装置における認証方法は、複数のRFIDに格納されている識別情報の組み合わせに基づく１または複数の認証条件の登録を受け付ける段階と、受け付けた認証条件を格納する段階と、近接してくるRFIDタグに格納された識別情報を読み取る段階と、読み取った識別情報を格納されている認証条件と比較して認証動作を行う段階と、認証動作を行った結果認証に成功したと判断した場合にセキュリティ解除動作を実行する段階とを含む。
【００２０】
この場合、１または複数の認証条件を登録しておくことにより、複数のRFIDタグのうち一部を紛失した場合あるいは盗難に遭った場合であっても、正当なユーザを認証してセキュリティ解除を実行することが可能となる。
【００２１】
本発明はまた、上述の認証装置またはセキュリティ装置を実行するためのプログラム、およびこれらを記録した記録媒体を提供する。プログラムは、CPU、メモリ、各種インターフェイスなどを含む装置上で実行されることにより、コンピュータを認証装置またはセキュリティ装置として機能させる。また、記録媒体は、CD-ROMやフレキシブルディスク、光磁気ディスク、メモリカードなどの可搬型記録媒体、通信回線の先に備えられる他の記録装置、コンピュータのハードディスクやRAMなどの記録媒体を含み、この記録媒体に記録されたプログラムがCPU、メモリなどを含む装置上で実行されることにより認証装置またはセキュリティ装置を構成することとなる。
【発明の効果】
【００２２】
本発明によれば、複数のRFIDタグの組み合わせに基づく認証条件を複数設定しておくことにより、RFIDタグの一部が盗難にあった場合であっても、不審者による認証およびセキュリティ解除を防止することができ、またRFIDタグの一部を紛失した場合であっても、正当なユーザが残ったRFIDを用いて認証およびセキュリティ解除を可能にする。
【００２３】
また、識別情報読取部の読み取り精度により、全てのRFIDタグを完全に認識できない場合であっても、認証条件を満たす複数のRFIDタグを認識すれば、正当なユーザを認識することができ、RFIDタグの識別情報を識別情報読取部に読み込ませる動作をユーザに意識させることのない認証装置およびセキュリティ装置を提供することができる。
【発明を実施するための最良の形態】
【００２４】
〔第１実施形態〕
以下、本発明の第１実施形態について図面を参照して説明する。
【００２５】
〔概略構成〕
図１および図２は、本発明の１実施形態が採用されるセキュリティ装置の説明図である。ここでは、個人の住宅において、不審者の侵入を監視するためのセキュリティ装置について考察する。
【００２６】
図１において、このセキュリティ装置は、ユーザの認証動作やセキュリティ設定・解除動作を行う装置本体101、玄関などの出入り口に配置されて人の出入りを監視するセンサ部108、RFIDタグに格納されている識別情報を読み出すための識別情報読取部102を備えている。
【００２７】
センサ部108は、主に住宅の玄関や勝手口などに設けられて、外部から近づく人間を感知して、装置本体101に検知信号を送出するものである。このセンサ部108は、住人が不在の間に不審者が住宅内に侵入したことを検知するものであり、不審者が侵入するおそれがある窓やその他の開口部にそれぞれ設置するように構成することも可能である。
【００２８】
識別情報読取部102は、RFIDタグに格納されている識別情報を読み取るものである。RFIDタグに格納されている識別情報の読取については、種々の技術が提案されており、特に限定されるものではないが、たとえば、背景技術の欄で記載したように、RFIDタグに対して無線で電力供給を行い、RFIDタグのICチップに格納されている識別情報を無線で送信させるように構成することができる。
【００２９】
装置本体101は、図２に示すように、認証条件設定部201、認証条件格納部202、認証部203、セキュリティ解除部204などを備えている。
【００３０】
認証条件設定部201は、複数のRFIDタグに格納されている識別情報の組み合わせに基づく１または複数の認証条件の登録を受け付けるものである。認証条件は、各RFIDタグの識別情報に対して、装置本体101に設けられるキーボードやマウスなどのポインティングデバイス、押しボタンスイッチ、その他の入力手段で構成される入力部211からの指示に基づいて登録処理を行うように構成できる。
【００３１】
たとえば、図１に示すように、住人が所持する帽子、眼鏡、腕時計、上着、靴にそれぞれ第１RFIDタグ103〜第５RFIDタグ107が取り付けられている場合に、第１RFIDタグ103〜第５RFIDタグ107に格納されている識別情報は、識別情報読取装置102により読み取って装置本体101に登録するように構成することができ、また、別途装置本体101の近傍に設けた読取装置により各RFIDタグに格納された識別情報を読み取るように構成することが可能であり、さらに入力部211から入力することで登録することが可能である。
【００３２】
装置本体101に登録される識別情報は、たとえば、図３に示すように、タグ名称およびこのタグ名称に対応する識別情報のテーブルで構成できる。各識別情報は、それぞれ完全にユニークなものであり、他の識別情報と区別することが可能となっている。
【００３３】
このような複数のRFIDタグに格納された識別情報の組み合わせに基づいて、複数の認証条件を設定してこれを登録するように構成できる。第１RFIDタグ103〜第５RFIDタグ107に格納されている識別情報をそれぞれ識別情報Ａ〜Ｅとすると、たとえば、図４（ａ）に示すような、３つの識別情報の組み合わせにより住人を認証するように設定できる。詳細には、「識別情報A,B,Cの３つが認識できれば認証成功とみなす」、「識別情報B,C,Dの３つが認識できれば認証成功とみなす」、「識別情報C,D,Eの３つが認識できれば認証成功とみなす」、「識別情報A,B,Dの３つが認識できれば認証成功とみなす」、「識別情報B,C,Eの３つが認識できれば認証成功とみなす」などの認証条件を設定している。
【００３４】
このような認証条件は、２つもしくは３つ以上の識別情報の組み合わせに基づいて設定することも可能であり、いくつの識別情報の組み合わせにするか、どのような組み合わせを認証条件とするかは、任意に設定可能である。また、必ず含まれていなければ認証成功とみなさないような識別情報を設定しておくことも可能であり、この場合には、この識別情報を格納したRFIDタグを紛失したり盗難に遭う確率が相当低い場合に限定することが好ましい。
【００３５】
認証部203は、認証条件格納部202に格納された認証条件と、識別情報読取部102で読み取られたRFIDタグに格納された識別情報とを比較して、認証動作を行うものである。たとえば、図４（ａ）に示すような複数の認証条件が設定されているような場合、識別情報読取部102で読み取られた識別情報が、図４（ａ）のいずれかを満たす場合には認証成功とみなし、識別情報のうちのいずれか２つだけしか認識できなかったような場合や、他の識別情報との組み合わせであるような場合には認証失敗とみなすように構成できる。
【００３６】
セキュリティ解除部204は、認証部203による認証が成功した場合に、センサ部108による監視状態を解除する。
【００３７】
装置本体101には、センサ部108を監視状態に設定するためのセキュリティ設定部212と、住人からのセキュリティ設定を受け付けるための設定受付部213を備えている。設定受付部213は、たとえば、住人による操作可能な操作ボタンや玄関の施錠を感知するセンサなどで構成することができ、セキュリティ設定部212は、設定受付部213により住人が外出したことを感知してから所定時間経過後にセンサ部108を監視状態に設定するように構成することが可能である。
【００３８】
装置本体101は、ネットワークを介した通信を行うための通信部214を備えており、認証部203による認証失敗を検出した場合には、この通信部214により警備会社などの防犯センタに通知するように構成できる。
【００３９】
〔認証条件設定〕
認証条件設定時の動作について、図５のフローチャートに基づいて説明する。
【００４０】
認証条件設定部201により、複数のRFIDタグに格納された識別情報の登録を行う（ステップS11）。前述したように、識別情報読取部102からRFIDタグに格納された識別情報を読み取らせるように構成することも可能であり、また、装置本体101に別途外付けまたは内蔵された読取装置からRFIDタグに格納された識別情報を読み取るように構成することも可能である。また、キーボードやその他の入力装置で構成される入力部211からの入力を受け付けるように構成することも可能である。
【００４１】
認証条件設定部201は、さらに、複数の識別情報の組み合わせを認証条件として受け付ける（ステップS12）。たとえば、入力部211を介して入力される指示に基づいて、図４（ａ）に示されるような３つの識別情報の組み合わせを認証条件として受け付けるように構成できる。
【００４２】
認証条件設定部201は、認証条件設定が終了したか否かを判別し（ステップS13）、設定終了であると判断した場合には、設定された認証条件を認証条件格納部202に格納して（ステップS14）、処理を終了する。認証条件設定指示と同様に、入力部211からの指示に基づいて、認証条件設定の終了を判定することができる。また、さらに認証条件の設定を行う場合には、ステップS11に移行して、さらに識別情報の登録、またはステップS12における認証条件の設定受付処理を実行する。
【００４３】
〔認証動作〕
センサ部108による監視状態にある場合の認証動作を図６のフローチャートに基づいて説明する。
【００４４】
RFIDタグを所持する人が近づいてきて、識別情報読取部102によりRFIDタグに格納された識別情報を認識した場合（ステップS21）、認証条件格納部202に格納されている認証条件と比較してこれを満たしているか否かを判別する（ステップS22）。
【００４５】
認証部203は、認証条件と一致していないと判断した場合、ステップS21に移行して、さらに識別情報読取部102によるRFIDタグの識別情報が読み取られるか否かを判別する。
【００４６】
ここで、たとえば、第２RFID104に格納されている識別情報Ｂと、第３RFIDタグ105に格納されている識別情報Ｃとが認識された場合、図４（ｂ）に示されているように、認証条件格納部202に格納されている認証条件からそれぞれ識別情報Ｂと識別情報Ｃが引かれることとなる（引かれた識別情報をハッチングで示す）。この後、第１RFIDタグ103に格納された識別情報Ａが認識された場合には、第１番目の認証条件を満たすこととなり、認証成功とみなすことができる。同様に、第４RFIDタグ106に格納された識別情報Ｄを認識することで、第２番目の認証条件を満たしたと判断でき、第４RFIDタグ106に格納された識別情報Ｄおよび第５RFIDタグに格納された識別情報Ｅを認識することで第３番目の認証条件を満たしたと判断でき、第１RFIDタグ103に格納された識別情報Ａおよび第４RFIDタグ106に格納された識別情報Ｄを認識することで第４番目の認証条件を満たしたと判断でき、第５RFIDタグ107に格納された識別情報Ｅを認識することで第５番目の認証条件を満たしたと判断することができる。
【００４７】
認証部203が認証条件を満たしたと判断した場合には、セキュリティ解除部204によるセキュリティ解除処理を行う（ステップS23）。たとえば、センサ部108により住居に近づく者が感知されても警報を作動させないように設定する。
【００４８】
センサ部108により住居に近づく者が感知されたか否かを判別し（ステップS24）、感知されていない場合にはステップS21に移行する。
【００４９】
センサ部108により住居に近づく者が感知された場合には、セキュリティが解除されているか否かを判別する（ステップS25）。セキュリティが解除されていないと判断した場合には、ブザーや照明などにより音や光で警報を発して不審者への威嚇を行う。また、通信部214により防犯センタ109への通報を行うように構成することができる。
【００５０】
このように、複数のRFIDタグ103〜107に格納されている識別情報の組み合わせを認証条件として登録しておくことで、RFIDタグ103〜107のうち１つもしくは２つを紛失したり、盗難に遭った場合であっても、残りのRFIDタグによりセキュリティ解除を行うことが可能となる。
【００５１】
また、不審者がRFIDタグのうちの１つまたは２つのRFIDタグを盗んだとしても、そのRFIDタグを利用して認証条件を満たすことができないので、不正なセキュリティ解除を防止できる。
〔第２実施形態〕
ユーザが所持するRFIDタグを動的に変化させて、対応する認証条件を自動的に生成することにより、セキュリティをより高めるように構成することが考えられる。
【００５２】
たとえば、前述した第１実施形態において、設定受付部213によりセキュリティ設定を受け付けた時点で、識別情報読取部102が認識するRFIDタグの識別情報を取得し、認証条件設定部201が認証条件を自動的に生成するように構成できる。
【００５３】
ユーザによりセキュリティ設定ボタンが操作された場合や玄関の施錠がなされた時に、識別情報読取部102がRFIDタグ103〜107に格納されている識別情報Ａ〜Ｅを認識したとする。認証条件設定部201は、識別情報読取部102が認識した識別情報Ａ〜Ｅのうちの３つの識別情報で構成される10通りの認証条件を自動的に生成し、これを認証条件格納部202に格納するように構成できる。
【００５４】
この場合、RFIDタグを備える物品を複数身につけて外出するだけで、認証条件を自動的に設定することができ、認証条件を設定する複雑な作業を省略することが可能となる。また、所持する物品を変えることで、認証条件のパターンをその都度変更することができるため、セキュリティをより強化することができる。
〔第３実施形態〕
複数の住人がそれぞれ複数のRFIDタグを所持するような場合、各RFIDタグに格納された識別情報をグループ分けし、そのグループに関連付けた属性に基づく認証条件を設定するように構成できる。
【００５５】
たとえば、父が所持する物品に第１RFIDタグ〜第３RFIDタグが取り付けられ、母が所持する物品に第４RFIDタグ〜第６RFIDタグが取り付けられ、子供が所持する物品に第７RFIDタグ〜第９RFIDタグが取り付けられているものとする。この場合、各RFIDタグに格納された識別情報を読み取って、図７に示すように、第１RFIDタグ〜第３RFIDタグに格納されている識別情報に対して「父」の属性を付与し、第４RFIDタグ〜第６RFIDタグに格納されている識別情報に対して「母」の属性を付与し、第７RFIDタグ〜第９RFIDタグに格納されている識別情報に対して「子」の属性を付与する。
【００５６】
認証条件としては、「子」の属性が付与された識別情報だけを認識してもセキュリティ解除を行わない、「子」の属性が付与された識別情報を認識する直前に「父」または「母」の属性を付与された識別情報を認識されなければセキュリティ解除を行わない、などの種々の認証条件を設定することができる。
【００５７】
また、第２実施形態の場合と同様に、セキュリティ設定時に認識されたRFIDタグの識別情報に基づいて、各識別情報とその属性による認証条件を自動的に生成するように構成することも可能である。たとえば、セキュリティ設定ボタンが操作された場合や玄関の施錠がなされた時に、識別情報読取部102が「父」の属性である識別情報と「子」の属性である識別情報であるような場合、この識別情報の組み合わせによる認証条件を自動的に生成するように構成できる。
【００５８】
このようにすることで、家族構成や生活習慣などに従った種々の設定が可能となり、セキュリティを高めることができる。
〔第４実施形態〕
本発明の第２実施形態について、図８に基づいて説明する。ここでは、公共の場所に設置される貸しロッカーにRFIDタグによる認証装置を適用した例を示す。
【００５９】
ロッカー304の前面には、ゲート型の識別情報読取部302を備えており、ロッカー使用者301はこの識別情報読取装置302を通過する必要があるように構成されている。
【００６０】
ロッカー使用者301がロッカー使用前にゲート型の識別情報読取部302を通過すると、識別情報読取部302はロッカー使用者301が所持しているRFIDタグの識別情報を読み取って装置本体303により個人認証を行う。この場合、装置本体303側にロッカー使用者301が所持する複数のRFIDタグの識別情報を予め登録しておき、そのうちの所定個数の識別情報を認識できればロッカー使用者301を特定するように構成できる。また、初めてロッカー304を使用するロッカー使用者である場合には、識別情報読取部302により読み取ったRFIDタグの識別情報により新たな個人認証情報を作成するように構成することもできる。
【００６１】
装置本体303は、ロッカー使用者301が所持するRFIDタグに格納された識別情報に基づいて、複数の認証条件を設定して格納しておき、次にロッカー使用者301がロッカー304に近寄った場合に、セキュリティ解除を行うか否かを判断するように構成できる。認証条件は、ロッカー使用者本人が予め設定するように構成でき、管理者により設定するように構成できる。また、装置本体301が、識別情報の組み合わせを選択して自動的に設定するように構成することも可能である。
【００６２】
個人認証ができたロッカー使用者301は、空いているロッカー304に荷物を投入し、ロッカーナンバーを指定して施錠を行う。このとき、装置本体303は、ロッカー使用者301が所持しているRFIDタグに格納された識別情報と、ロッカーナンバーとを関連付けて格納しておく。
【００６３】
ロッカー使用者301がロッカーを開錠する場合には、再びゲート型の識別情報読取部302に近づくことで、ロッカー使用者301が所持するRFIDタグに格納された識別情報を識別情報読取部302で読み取って、個人認証を行う。このとき、装置本体303に格納されている認証条件に基づいて、正当なユーザであるか否かの認証を行うようにすることで、複数のRFIDタグのうち一部を紛失したり盗難に遭った場合であっても、他のRFIDタグを用いて個人認証を行うことができるようにする。また、１つまたは２つのRFIDタグを盗んでも、これを用いたなりすましを防止できる。
【００６４】
ロッカー使用者301の個人認証に成功した段階で、ロッカー304の該当するものを開錠するように構成することが可能である。また、ロッカー304のぞれぞれに鍵の操作が行われたことを感知するセンサを設けておき、個人認証が成功した段階でセンサの監視状態を解除するように構成することも可能である。
【００６５】
このような構成とすることにより、ロッカー使用者301が所持する複数のRFIDタグにより、ロッカー使用者301の個人認証を行うようにして、セキュリティを高めることができる。特に、複数のRFIDタグの一部が盗難に遭った場合であっても、これを用いて不正に開錠することが困難になる。また、ロッカー使用者301が複数のRFIDタグのうち一部を紛失したり、盗難に遭った場合であっても、他のRFIDタグを用いて開錠することが可能となる。
〔他の応用例〕
識別情報読取部による識別情報の読取精度が完全ではなく、RFIDタグの位置や識別情報読取部からの距離や周辺環境などの種々の要因により、RFIDタグが識別情報読取部の読み取り範囲にあるにも関わらず、RFIDタグに格納された識別情報を認識できない場合がある。
【００６６】
このような場合に、複数のRFIDタグに格納された識別情報のうちの所定個数の組み合わせを認証条件として格納しておき、これらの組み合わせのうちいずれかが検出できれば、認証成功とみなすように構成している。
【００６７】
このことにより、ユーザが所持する複数のRFIDタグのうち、一部が識別情報読取部により認識できなかった場合であっても、正当なユーザであることを認証することができ、識別情報読取部に対してRFIDタグを明示的に近づけて認識させるような動作をする必要がなくなる。したがって、無線により遠隔操作を可能にするRFIDタグの利点を活かして、RFIDタグに格納された識別情報の一部が読みとれなかった場合であっても、正当なユーザを認証することを可能とする。
【産業上の利用可能性】
【００６８】
本発明によれば、複数のRFIDタグを用いてセキュリティの高い認証装置、セキュリティ装置を実現することが可能であり、住宅やロッカー、その他のセキュリティの必要が施錠装置として応用することができる。
【図面の簡単な説明】
【００６９】
【図１】本発明の第１実施形態の説明図。
【図２】本発明の第１実施形態の機能ブロック図。
【図３】本発明の第１実施形態における識別情報のテーブルを示す説明図。
【図４】本発明の第１実施形態におけるセキュリティ解除構造を示す説明図。
【図５】本発明の第１実施形態における認証条件設定のフローチャート。
【図６】本発明の第１実施形態における認証動作のフローチャート。
【図７】本発明の第３実施形態における識別情報のテーブルを示す説明図。
【図８】本発明の第４実施形態の説明図。
【図１】
2006178591.tif 000003
【図２】
2006178591.tif 000004
【図３】
2006178591.tif 000005
【図４】
2006178591.tif 000006
【図５】
2006178591.tif 000007
【図６】
2006178591.tif 000008
【図７】
2006178591.tif 000009
【図８】
2006178591.tif 000010